(57)【要約】【課題】セキュリティ性能を向上する。【解決手段】ラッチ装置は、ドア枠に設けられ、前記ドア枠から室外側へ突出されると共に、前記ドアが閉じられるときに前記ドアの室内側の面に形成された挿入孔から前記ドアの内部へ挿入するストライカと、前記ドアの内部に設けられ、前記ドアが閉じられたときに前記ストライカに係脱自在に係合して前記ドアをラッチするラッチ装置本体と、を備え、前記ラッチ装置本体は、上下方向を軸方向として回転可能に構成され、前記ストライカと係合するラッチ位置と、前記ストライカとの係合状態が解除されるラッチ解除位置と、の間を回転するラッチ部材と、前記ラッチ部材が前記ストライカに係合したときに作動して、前記ラッチ部材の前記ラッチ位置から前記ラッチ解除位置への回転を阻止する阻止部材と、を含んで構成されている。【選択図】図１
2019060193.tif 000002
【特許請求の範囲】
【請求項１】
建物のドア枠に外開きで開閉自在に連結されたドアのラッチ装置であって、
前記ドア枠に設けられ、前記ドア枠から室外側へ突出されると共に、前記ドアが閉じられるときに前記ドアの室内側の面に形成された挿入孔から前記ドアの内部へ挿入するストライカと、
前記ドアの内部に設けられ、前記ドアが閉じられたときに前記ストライカに係脱自在に係合して前記ドアをラッチするラッチ装置本体と、
を備え、
前記ラッチ装置本体は、
上下方向を軸方向として回転可能に構成され、前記ストライカと係合するラッチ位置と、前記ストライカとの係合状態が解除されるラッチ解除位置と、の間を回転するラッチ部材と、
前記ラッチ部材が前記ストライカに係合したときに作動して、前記ラッチ部材の前記ラッチ位置から前記ラッチ解除位置への回転を阻止する阻止部材と、
を含んで構成されているラッチ装置。
【請求項２】
前記阻止部材は、上下方向を軸方向として回転可能に構成されると共に、前記ラッチ部材の回転を許可する許可位置と、前記ラッチ位置における前記ラッチ部材と係合して前記ラッチ部材の前記ラッチ位置から前記ラッチ解除位置への回転を阻止するロック位置と、の間を回転する請求項１に記載のラッチ装置。
【請求項３】
前記ラッチ装置本体は、規制部材を有しており、
前記規制部材が、前記ロック位置における前記阻止部材と係合して前記阻止部材の前記許可位置側への回転を規制する規制位置と、前記阻止部材の前記許可位置側への回転を許可する非規制位置と、の間を移動可能に構成されている請求項２に記載のラッチ装置。
【請求項４】
前記ラッチ装置本体は、水平方向にスライド可能に構成されたスライド部材を有しており、
前記スライド部材が非作動位置からスライド位置へスライドすることで、前記スライド部材と前記阻止部材とが係合して前記阻止部材が前記ロック位置から前記許可位置へ回転される請求項３に記載のラッチ装置。
【請求項５】
前記ラッチ装置本体は、回転可能に構成された回転体を有しており、
前記回転体が回転方向一方側へ回転することで、前記回転体によって前記規制部材が前記非規制位置から前記規制位置へ回転され、
前記回転体が回転他方側へ回転することで、前記回転体と前記スライド部材とが係合して前記スライド部材が前記非作動位置から前記スライド位置へスライドすると共に、前記回転体によって前記規制部材が前記規制位置から前記非規制位置へ回転される請求項４に記載のラッチ装置。
【請求項６】
前記ラッチ装置本体は、
前記回転体を回転させるためのアクチュエータと、
前記アクチュエータを駆動制御する制御部と、
を含んで構成されている請求項５に記載のラッチ装置。
【請求項７】
建物のドア枠に外開きで開閉自在に連結され、室内側の面に挿入孔を有するドアと、
前記ドア枠に設けられ、前記ドア枠から室外側へ突出されると共に、前記ドアが閉じられるときに前記挿入孔から前記ドアの内部へ挿入するストライカと、
前記ドアの内部に設けられ、前記ドアが閉じられたときに前記ストライカに係脱自在に係合して前記ドアをラッチするラッチ装置本体と、
を備え、
前記ラッチ装置本体は、
上下方向を軸方向として回転可能に構成され、前記ストライカと係合するラッチ位置と、前記ストライカとの係合状態が解除されるラッチ解除位置と、の間を回転するラッチ部材と、
前記ラッチ部材が前記ストライカに係合したときに作動して、前記ラッチ部材の前記ラッチ位置から前記ラッチ解除位置への回転を阻止する阻止部材と、
を含んで構成されているドア装置。
【発明の詳細な説明】
【技術分野】
【０００１】
本発明は、ラッチ装置及びドア装置に関する。
【背景技術】
【０００２】
下記特許文献１に記載のドア装置では、フック（ストライカ）がドア枠に取付けられており、ドアには、フックと係脱可能に構成されたドアキャッチ（ラッチ装置本体）が設けられている。このドアキャッチは、水平方向を軸方向として回転可能に構成された係合部材を含んで構成されている。そして、ドアが閉じるときに係合部材が回転して、係合部材の係合部がフックと係合することで、ドアキャッチがフックとラッチする。
【先行技術文献】
【特許文献】
【０００３】
【特許文献１】特開２００７−２３９２３５号公報
【発明の概要】
【発明が解決しようとする課題】
【０００４】
しかしながら、上記特許文献１のドア装置では、以下に示す点において改善の余地がある。すなわち、上記ドア装置では、フックがドア枠からドア枠の幅方向内側へ突出されている。このため、ドアを閉じた状態では、室外側から見て、ドアの開放端面とドア枠との間の隙間から、フックを視認することができる。これにより、フックと係合部材との係合部分に対して、当該隙間から、不正なアクセスが行われる可能性がある。したがって、上記ドア装置では、セキュリティ性能を向上するという点において改善の余地がある。
【０００５】
本発明は、上記事実を考慮して、セキュリティ性能を向上することができるラッチ装置及びドア装置を提供する。
【課題を解決するための手段】
【０００６】
形態１：本発明の１又はそれ以上の実施形態は、建物のドア枠に外開きで開閉自在に連結されたドアのラッチ装置であって、前記ドア枠に設けられ、前記ドア枠から室外側へ突出されると共に、前記ドアが閉じられるときに前記ドアの室内側の面に形成された挿入孔から前記ドアの内部へ挿入するストライカと、前記ドアの内部に設けられ、前記ドアが閉じられたときに前記ストライカに係脱自在に係合して前記ドアをラッチするラッチ装置本体と、を備え、前記ラッチ装置本体は、上下方向を軸方向として回転可能に構成され、前記ストライカと係合するラッチ位置と、前記ストライカとの係合状態が解除されるラッチ解除位置と、の間を回転するラッチ部材と、前記ラッチ部材が前記ストライカに係合したときに作動して、前記ラッチ部材の前記ラッチ位置から前記ラッチ解除位置への回転を阻止する阻止部材と、を含んで構成されているラッチ装置である。
【０００７】
形態２：本発明の１又はそれ以上の実施形態は、前記阻止部材は、上下方向を軸方向として回転可能に構成されると共に、前記ラッチ部材の回転を許可する許可位置と、前記ラッチ位置における前記ラッチ部材と係合して前記ラッチ部材の前記ラッチ位置から前記ラッチ解除位置への回転を阻止するロック位置と、の間を回転するラッチ装置である。
【０００８】
形態３：本発明の１又はそれ以上の実施形態は、前記ラッチ装置本体は、規制部材を有しており、前記規制部材が、前記ロック位置における前記阻止部材と係合して前記阻止部材の前記許可位置側への回転を規制する規制位置と、前記クローレバーの前記許可位置側への回転を許可する非規制位置と、の間を移動可能に構成されているラッチ装置である。
【０００９】
形態４：本発明の１又はそれ以上の実施形態は、前記ラッチ装置本体は、水平方向にスライド可能に構成されたスライド部材を有しており、前記スライド部材が非作動位置からスライド位置へスライドすることで、前記スライド部材と前記阻止部材とが係合して前記阻止部材が前記ロック位置から前記許可位置へ回転されるラッチ装置である。
【００１０】
形態５：本発明の１又はそれ以上の実施形態は、前記ラッチ装置本体は、回転可能に構成された回転体を有しており、前記回転体が回転方向一方側へ回転することで、前記回転体によって前記規制部材が前記非規制位置から前記規制位置へ回転され、前記回転体が回転他方側へ回転することで、前記回転体と前記スライド部材とが係合して前記スライド部材が前記非作動位置から前記スライド位置へスライドすると共に、前記回転体によって前記規制部材が前記規制位置から前記非規制位置へ回転されるラッチ装置である。
【００１１】
形態６：本発明の１又はそれ以上の実施形態は、前記ラッチ装置本体は、前記回転体を回転させるためのアクチュエータと、前記アクチュエータを駆動制御する制御部と、を含んで構成されているラッチ装置である。
【００１２】
形態７：本発明の１又はそれ以上の実施形態は、建物のドア枠に外開きで開閉自在に連結され、室内側の面に挿入孔を有するドアと、前記ドア枠に設けられ、前記ドア枠から室外側へ突出されると共に、前記ドアが閉じられるときに前記挿入孔から前記ドアの内部へ挿入するストライカと、前記ドアの内部に設けられ、前記ドアが閉じられたときに前記ストライカに係脱自在に係合して前記ドアをラッチするラッチ装置本体と、を備え、前記ラッチ装置本体は、上下方向を軸方向として回転可能に構成され、前記ストライカと係合するラッチ位置と、前記ストライカとの係合状態が解除されるラッチ解除位置と、の間を回転するラッチ部材と、前記ラッチ部材が前記ストライカに係合したときに作動して、前記ラッチ部材の前記ラッチ位置から前記ラッチ解除位置への回転を阻止する阻止部材と、を含んで構成されているドア装置である。
【発明の効果】
【００１３】
本発明の１又はそれ以上の実施形態によれば、セキュリティ性能を向上することができる。
【図面の簡単な説明】
【００１４】
【図１】図１は、本実施の形態に係るラッチ装置の作動を説明するための断面図である。図１（Ａ）は、フォークレバーがラッチ解除位置に配置され、クローレバーが許可位置に配置された状態を示す断面図である。図１（Ｂ）は、図１（Ａ）に示される状態からフォークレバーがラッチ位置に回転してストライカと係合し、クローレバーが阻止位置へ回転された状態を示す断面図である。図１（Ｃ）は、図１（Ｂ）に示される状態から規制レバーが規制位置に回転した状態を示す断面図である。図１（Ｄ）は、図１（Ｃ）に示される状態から規制レバーが非規制位置に回転し、ラッチプレートがスライド位置へスライドした状態を示す断面図である。図１（Ｅ）は、図１（Ｄ）に示される状態からストライカとフォークレバーとの係合状態が解除されて、フォークレバーがラッチ解除位置へ回転した状態を示す断面図である。
【図２】図２（Ａ）は、ドア枠の一部及びドアの一部を示す斜視図であり、図２（Ｂ）は、ドアを閉じた状態におけるドア枠の一部及びドアの一部を上側から見た平面図である。
【図３】図３は、図２に示されるラッチ装置本体におけるハウジングの内部を示す室外側から見た正面図である。
【図４】図４は、図３に示されるラッチ装置本体におけるハウジングの内部を示す下方側から見た断面図（図３の４−４線断面図）である。
【図５】図５（Ａ）は、図３に示されるラッチ装置本体におけるハウジングの内部を示す下方側から見た断面図（図３の５Ａ−５Ａ線断面図）であり、図５（Ｂ）は、図３に示されるラッチ装置本体におけるハウジングの内部を示す下方側から見た断面図（図３の５Ｂ−５Ｂ線断面図）である。
【図６】図６は、図３に示される状態から規制レバーが規制位置に回転した状態を示す正面図である。
【図７】図７は、図６に示される状態から規制レバーが非規制位置に回転し且つラチェットプレートがスライド位置へスライドした状態を示す正面図である。
【発明を実施するための形態】
【００１５】
以下、図面を用いて、本実施の形態に係るラッチ装置１０が適用されたドア装置１２について説明する。図２（Ａ）及び（Ｂ）に示されるように、ラッチ装置１０は、建物のドア枠３０に回動可能に連結されたドア２０をラッチする装置として構成されている。以下、始めに、ドア２０及びドア枠３０の構成について説明し、次いで、ラッチ装置１０の構成について説明する。なお、以下の説明では、便宜上、ドア２０を閉じた位置に配置した状態で説明する。また、図面において適宜示される、矢印ＩＮは室内側を示し、矢印ＯＵＴは室外側を示しており、以下の説明では、矢印ＩＮ及び矢印ＯＵＴの方向を、見込み方向という。また、図面において適宜示される、矢印ＵＰは、上側（垂直方向一方側）を示しており、矢印ＬＨは、室外側から見た左側（水平方向一方側）を示している。
【００１６】
（ドア及びドア枠について）
ドア２０は、見込み方向を厚み方向とし且つ上下方向を長手方向とする略矩形板状を成している。また、ドア２０には、後述するラッチ装置１０のラッチ装置本体４２が内蔵されている。このため、ドア２０では、少なくともラッチ装置本体４２が内蔵される部分が中空になっている。ドア２０の右端部（基端部）は、図示しない位置において、上下方向を軸方向としてドア枠３０に回動可能に連結されている。また、ドア２０は、ドア枠３０を閉じた状態から室外側へ外開きに開く構成になっている。
【００１７】
また、ドア２０の見込み方向一方側（室内側）の壁部には、左端部（ドア２０の開放側の端部であり、詳しくは、後述するラッチ装置本体４２を内蔵する部分）において、挿入孔２２が貫通形成されている。この挿入孔２２は、上下方向を長手方向とする略矩形状に形成されており、後述するストライカ４０が、挿入孔２２からドア２０の内部に挿入される構成になっている。
【００１８】
ドア枠３０の全体の図示は省略するが、ドア枠３０は、全体としてドア２０の外形に対応する略矩形枠状に形成されている。そして、ドア２０を閉じた状態では、ドア２０の左端部（開放端部）が、ドア枠３０の受け部３２に配置される設定になっている。この受け部３２は、上側から見て、略クランク状に形成されている。具体的には、受け部３２は、上側から見て、見込み方向に延在された第１受け面３２Ａと、第１受け面３２Ａにおける室内側の端部から右側へ延出された第２受け面３２Ｂと、第２受け面３２Ｂの右端部から室内側へ延出された内周面３２Ｃと、を含んで構成されている。そして、第１受け面３２Ａ及び第２受け面３２Ｂによって形成された切欠き状の空間３２Ｄ内に、ドア２０の先端部（開放端部）が配置されるようになっている。具体的には、ドア２０の開放端面２０Ａが第１受け面３２Ａと左右方向に対向配置され、ドア２０の先端部における室内側の面が、第２受け面３２Ｂと見込み方向に対向配置される構成になっている。
【００１９】
（ラッチ装置について）
ラッチ装置１０は、ドア枠３０に設けられたストライカ４０と、ドア２０の内部に設けられたラッチ装置本体４２と、を含んで構成されている。そして、ドア２０を閉じたときに、ラッチ装置本体４２がストライカ４０に係合してラッチする構成になっている。以下、各構成について説明する。
【００２０】
＜ストライカについて＞
ストライカ４０は、左右方向を板厚方向とし且つ見込み方向を長手方向とする略矩形板状に形成されている。そして、ストライカ４０の基端部（室内側の端部）が、ドア枠３０の内周面３２Ｃに対して右側に隣接して配置されて、複数のネジＳによってドア枠３０に締結固定されている。
【００２１】
ストライカ４０がドア枠３０に固定された状態では、ストライカ４０の先端側（室外側）の部分が、前述したドア２０の挿入孔２２に対応する位置に配置されると共に、第２受け面３２Ｂよりも室外側へ突出されている。また、ドア２０の閉状態では、ストライカ４０の先端側の部分が、ドア２０の挿入孔２２からドア２０の内部に侵入して、ドア２０内に配置される構成になっている。つまり、ストライカ４０は、ドア２０の閉状態において、ドア２０の開放端面２０Ａよりもドア２０の基端側に配置されて、室外側から見て、ドア２０（の開放端面２０Ａ）とドア枠３０（の第１受け面３２Ａ）との間の隙間ｇからストライカ４０が視認できない構成になっている。
【００２２】
ストライカ４０の先端側の部分には、略矩形状のストライカ孔４０Ａが貫通形成されている。このストライカ孔４０Ａは、後述するラッチ機構部６０のフォークレバー６１とストライカ４０とが係合するときに、フォークレバー６１が挿入される孔部として構成されている。また、ストライカ４０の先端部（ストライカ孔４０Ａの周縁の一部を構成する部分）は、被係合部４０Ｂとされており、被係合部４０Ｂが上下方向に延在されている。
【００２３】
＜ラッチ装置本体について＞
ラッチ装置本体４２は、ドア２０の挿入孔２２に対応する部位の内部に配置されている。図３〜図５に示されるように、ラッチ装置本体４２は、ラッチ装置本体４２の外郭を構成するハウジング４４を有している。また、ラッチ装置本体４２は、ハウジング４４内に収容された、ラッチ機構部６０と、施錠機構部７０と、駆動機構部８０と、制御部９０と、を含んで構成されている。以下、各構成について説明する。
【００２４】
［ハウジングについて］
ハウジング４４は、上下方向を長手方向とする中空の略矩形箱状に形成されており、ハウジング４４の厚み方向がドア２０の厚み方向と一致している。具体的には、ハウジング４４は、見込み方向他方側（室外側）及び左側へ開放された略矩形箱状を成すハウジング本体４６と、ハウジング本体４６の室外側の開口部を塞ぐハウジングカバー４８と、ハウジング本体４６の左側の開口部を塞ぐサイドパネル５０と、を含んで構成されている。そして、ハウジング４４が、ドア２０の左側からドア２０の開放端面２０Ａに形成された孔部（図示省略）内に差し込まれて、ドア２０の内部に収容されている（図２参照）。また、サイドパネル５０は、化粧パネルとして構成されており、サイドパネル５０の上端部及び下端部が、ハウジング４４よりも上側及び下側へ突出されている。そして、サイドパネル５０の上端部及び下端部が、ドア２０の開放端部にネジ等によって締結されて、ハウジング４４がドア２０に固定されている。なお、ハウジング４４がドア２０に固定された状態では、ドア２０の開放端面２０Ａと、サイドパネル５０の外側面とが、面一に配置されている。
【００２５】
また、ハウジング本体４６の底壁４６Ａ（ハウジングカバー４８と厚み方向に対向する壁部）には、挿入孔２２と対向する位置において、連通孔４６Ａ１が貫通形成されている。この連通孔４６Ａ１は、上下方向を長手方向とする長孔状に形成されており、連通孔４６Ａ１の大きさが、挿入孔２２の大きさに比べて若干大きく設定されている。これにより、ハウジング４４の内部とドア２０の外部とが、挿入孔２２及び連通孔４６Ａ１によって連通されている。
【００２６】
さらに、ハウジング４４内における下部には、連通孔４６Ａ１に対して右側の位置において、上下一対のガイドプレート５２が設けられている。このガイドプレート５２は、上下方向を板厚方向とし且つ左右方向を長手方向とする略矩形板状に形成されている。そして、一対のガイドプレート５２が、上下方向に所定の間隔をあけて配置されると共に、ハウジング本体４６の底壁４６Ａ及びハウジングカバー４８に挟み込まれた状態で両者に固定されている（図５（Ｂ）参照）。
【００２７】
一対のガイドプレート５２には、左側の端部において、上下方向を軸方向とした第１支持軸５２Ａが架け渡されている。また、一対のガイドプレート５２には、第１支持軸５２Ａに対して右側の位置において、上下方向を軸方向とした第２支持軸５２Ｂが架け渡されている。さらに、一対のガイドプレート５２には、第２支持軸５２Ｂに対して見込み方向一方側の位置において、上下方向を軸方向としたストッパピン５２Ｃが架け渡されている。
【００２８】
さらに、ガイドプレート５２におけるハウジング本体４６の底壁４６Ａと対向する端部には、右半分の部位において、ハウジングカバー４８側へ一段上がった段差状の切欠き５２Ｄ（図５（Ｂ）参照）が形成されている。このため、切欠き５２Ｄとハウジング本体４６の底壁４６Ａとの間に、左側へ開放されたガイド溝５３が形成されている。
【００２９】
［ラッチ機構部について］
ラッチ機構部６０は、「ラッチ部材」としてのフォークレバー６１と、「阻止部材」としてのクローレバー６３と、「スライド部材」としてのラッチプレート６５と、を有している。
【００３０】
「フォークレバー６１について」
フォークレバー６１は、ストライカ４０に係脱可能に係合する部材として構成されている。このフォークレバー６１は、全体として、上下方向を厚み方向とする略扇形ブロック状に形成されたレバー本体６１Ａを有しており、レバー本体６１Ａの外周部の一部が、円弧状に湾曲された円弧面６１Ｂとされている。また、フォークレバー６１には、円弧面６１Ｂの中心となる位置において、支持部６１Ｃが形成されており、支持部６１Ｃは、レバー本体６１Ａと一体に形成されて、レバー本体６１Ａから突出されている。また、支持部６１Ｃの略中心部には、円形状の支持孔６１Ｄが貫通形成されており、支持孔６１Ｄは、円弧面６１Ｂの中心となる位置に配置されている。そして、フォークレバー６１が、一対のガイドプレート５２の間に配置されて、支持孔６１Ｄ内に第１支持軸５２Ａが相対回転可能に挿入されている。これにより、フォークレバー６１が第１支持軸５２Ａに回転可能に支持されている。
【００３１】
また、レバー本体６１Ａの回転方向一方側（図４の矢印Ａ方向側）の端面は、係合面６１Ｅとされており、係合面６１Ｅは、後述するクローレバー６３と係合可能に構成されている。さらに、レバー本体６１Ａの回転方向他方側には、ストッパ部６１Ｆが形成されている。このストッパ部６１Ｆは、レバー本体６１Ａに対してレバー本体６１Ａの回転方向他方側に離間して配置されると共に、レバー本体６１Ａの回転方向他方側の端面と平行を成すように、支持部６１Ｃから径方向外側へ延出されている。これにより、ストッパ部６１Ｆが、フォークレバー６１の回転方向他方側の端部を構成すると共に、ストッパ部６１Ｆと、レバー本体６１Ａと、の間には、フォークレバー６１の径方向外側へ開放された係合溝６１Ｇが形成されている。そして、係合溝６１Ｇは、ストライカ４０の被係合部４０Ｂと係合可能に構成されている。
【００３２】
また、フォークレバー６１は、図１（Ｂ）に示されるラッチ位置と、ラッチ位置から回転方向一方側へ回転されたラッチ解除位置（図１（Ａ）及び図４に示される位置）と、の間を回転可能に構成されている。具体的には、フォークレバー６１がラッチ位置に配置された状態では、フォークレバー６１のストッパ部６１Ｆが、ハウジングカバー４８に当接して、フォークレバー６１の回転方向他方側への回転が制限される構成になっている。一方、フォークレバー６１がラッチ解除位置に配置された状態では、レバー本体６１Ａの回転方向一方側の端部が、ハウジングカバー４８に当接されて、フォークレバー６１の回転方向一方側への回転が制限される構成になっている。
【００３３】
また、フォークレバー６１のラッチ解除位置では、係合溝６１Ｇが、上側から見て、室内側へ向かうにつれて左側へ斜めに傾斜して配置されており、係合溝６１Ｇの開口部が、ハウジング４４の連通孔４６Ａ１側へ開放されている（図１（Ａ）及び図４参照）。これにより、ドア２０を閉じるときに挿入孔２２及び連通孔４６Ａ１から挿入されるストライカ４０の被係合部４０Ｂが、係合溝６１Ｇ内に挿入して、フォークレバー６１をラッチ位置側へ回転させるようになっている。また、フォークレバー６１のラッチ位置では、上側から見て、係合溝６１Ｇが左側へ開放されるように係合溝６１Ｇが左右方向に沿って配置されている。このため、ストライカ４０の被係合部４０Ｂと係合溝６１Ｇとが、見込み方向に係合する構成になっている（図１（Ｂ）参照）。
【００３４】
また、フォークレバー６１が第１支持軸５２Ａに支持された状態では、フォークレバー６１が上側のガイドプレート５２寄りに配置されている（図３参照）。すなわち、フォークレバー６１は、第１支持軸５２Ａの上部に支持されている。一方、第１支持軸５２Ａの下部には、トーションスプリングとして構成された付勢バネ６２が装着されている。付勢バネ６２の一端部は、フォークレバー６１に係止されており、付勢バネ６２の他端部は、ガイドプレート５２に係止されている。そして、付勢バネ６２は、フォークレバー６１を回転方向一方側へ付勢している。これにより、フォークレバー６１とストライカ４０との係合が解除された状態では、フォークレバー６１が、ラッチ解除位置に保持される構成になっている。
【００３５】
「クローレバーについて」
クローレバー６３は、上下方向を厚み方向とした略Ｖ字形ブロック状に形成されている、具体的には、クローレバー６３は、その基端部を構成する略円筒状の支持部６３Ａと、支持部６３Ａから支持部６３Ａの径方向外側へ延出された第１アーム部６３Ｂ及び第２アーム部６３Ｃと、を含んで構成されている。そして、支持部６３Ａの内部が支持孔６３Ｄとされており、支持孔６３Ｄ内に第２支持軸５２Ｂが相対回転可能に挿入されている。すなわち、クローレバー６３が、フォークレバー６１に対して右側に配置されて、第２支持軸５２Ｂに回転可能に支持されている。また、第２アーム部６３Ｃは、第１アーム部６３Ｂに対して、クローレバー６３の回転方向一方側（図４の矢印Ｃ方向側）に離間して配置されており、第１アーム部６３Ｂと第２アーム部６３Ｃとの成す角度は、鋭角に設定されている。
【００３６】
また、クローレバー６３は、図１（Ａ）及び図４に示される許可位置と、許可位置から回転方向他方側（図４の矢印Ｄ方向側）へ回転されたロック位置（図１（Ｂ）に示される位置）と、の間を回転可能に構成されている。具体的には、クローレバー６３が許可位置に配置された状態では、クローレバー６３が下側へ開放された状態に配置されると共に、第１アーム部６３Ｂと第２アーム部６３Ｃとの間に、ストッパピン５２Ｃが配置されている。また、この位置では、第１アーム部６３Ｂが、ラッチ解除位置におけるフォークレバー６１の円弧面６１Ｂに対して右側に隣接して配置されている。具体的には、第１アーム部６３Ｂの側面が、円弧面６１Ｂの接線方向に延在するように配置されている。これにより、フォークレバー６１がラッチ解除位置から回転方向他方側へ回転するときには、フォークレバー６１の円弧面６１Ｂが第１アーム部６３Ｂの側面を摺動しながらフォークレバー６１が回転するようになっている。よって、クローレバー６３の許可位置では、フォークレバー６１のラッチ解除位置からラッチ位置への回転が許可される設定になっている。
【００３７】
一方、クローレバー６３のロック位置では、クローレバー６３の第１アーム部６３Ｂの先端が、ラッチ位置におけるフォークレバー６１の係合面６１Ｅに対して、フォークレバー６１の回転方向一方側に隣接配置されて、フォークレバー６１とクローレバー６３が係合可能に構成されている。これにより、ラッチ位置におけるフォークレバー６１の回転方向他方側（ラッチ解除位置側）への回転が、クローレバー６３（第１アーム部６３Ｂ）によって阻止されて、フォークレバー６１がロックする構成になっている。また、クローレバー６３のロック位置では、第２アーム部６３Ｃがストッパピン５２Ｃに当接されて、クローレバー６３の回転方向一方側への回転が制限される構成になっている（図１（Ｂ）参照）。
【００３８】
さらに、クローレバー６３が第２支持軸５２Ｂに支持された状態では、クローレバー６３が上側のガイドプレート５２寄りに配置されている（図３参照）。すなわち、クローレバー６３が、第２支持軸５２Ｂの上部に支持されている。一方、第２支持軸５２Ｂの下部には、トーションスプリングとして構成された付勢バネ６４が装着されている。付勢バネ６４の一端部は、クローレバー６３に係止されており、付勢バネ６４の他端部は、ガイドプレート５２に係止されている。そして、付勢バネ６４は、クローレバー６３を回転方向他方側へ付勢している。これにより、クローレバー６３の許可位置では、付勢バネ６４の付勢力によって第１アーム部６３Ｂの側面がフォークレバー６１の円弧面６１Ｂに当接して、クローレバー６３が許可位置に保持される設定になっている。また、クローレバー６３のロック位置では、付勢バネ６４の付勢力によって第２アーム部６３Ｃがストッパピン５２Ｃに当接して、クローレバー６３がロック位置に保持される設定になっている。
【００３９】
「ラッチプレートについて」
ラッチプレート６５は、左右方向から見て、ハウジング本体４６の底壁４６Ａ側へ開放された略Ｕ字形板状に形成されている。具体的には、ラッチプレート６５は、ハウジングカバー４８と平行に配置された略矩形板状のベースプレート部６５Ａと、ベースプレート部６５Ａにおける左側部分の上下端部からハウジング本体４６の底壁４６Ａ側へ略直角に屈曲された上下一対のサイドプレート部６５Ｂと、を含んで構成されている。このサイドプレート部６５Ｂは、ベースプレート部６５Ａに対して左側へ突出されると共に、前述した一対のガイドプレート５２の上側及び下側にそれぞれ隣接配置されている。換言すると、一対のサイドプレート部６５Ｂが、一対のガイドプレート５２を上下方向に挟み込むように配置されて、ラッチプレート６５がガイドプレート５２に左右方向（水平方向）にスライド可能に支持されている。また、ラッチプレート６５がガイドプレート５２に支持された状態では、ベースプレート部６５Ａがハウジングカバー４８に対して見込み方向一方側に隣接して配置されている。
【００４０】
サイドプレート部６５Ｂにおけるハウジング本体４６の底壁４６Ａ側の端部には、右半分の部分において、ハウジングカバー４８へ一段上がった段差状の切欠部６５Ｃ（図４及び図５参照）が形成されている。このため、ハウジング本体４６の底壁４６Ａと切欠部６５Ｃとの間には、隙間が形成されている。また、一対のサイドプレート部６５Ｂの間には、切欠部６５Ｃに対して左側の位置において、上下方向を軸方向とする解除ピン６５Ｄが架け渡されている。この解除ピン６５Ｄは、前述したガイドプレート５２とハウジング本体４６の底壁４６Ａとによって構成されたガイド溝５３内に収容されている。
【００４１】
また、ベースプレート部６５Ａにおける右端部には、ハウジング本体４６の底壁４６Ａ側へ略直角に屈曲された支持片６５Ｅが形成されている。この支持片６５Ｅには、左右方向を軸方向とした支持ピン６５Ｆが設けられており、支持ピン６５Ｆは、支持片６５Ｅから右側へ突出されている。この支持ピン６５Ｆには、圧縮コイルスプリングとして構成された付勢バネ６６が装着されている。付勢バネ６６の一端部は、支持片６５Ｅに係止され、付勢バネ６６の他端部は、ハウジング本体４６の右側壁に係止されており、付勢バネ６６は、ラッチプレート６５を左側（すなわち、クローレバー６３側）へ付勢している。これにより、解除ピン６５Ｄが、ガイドプレート５２の切欠き５２Ｄの左端部に当接されて、ラッチプレート６５が、図３及び図４に示される位置に保持されている（以下、このラッチプレート６５の位置を、「非作動位置」と称する）。
【００４２】
また、ラッチプレート６５の非作動位置では、解除ピン６５Ｄが、許可位置及びロック位置におけるクローレバー６３の第１アーム部６３Ｂと第２アーム部６３Ｃとの間に配置されている。すなわち、クローレバー６３が、許可位置とロック位置との間を回転するときに解除ピン６５Ｄがクローレバー６３の回転を阻害しないように、解除ピン６５Ｄの位置が設定されている。さらに、クローレバー６３のロック位置において、ラッチプレート６５が非作動位置から右側へスライドすると、解除ピン６５Ｄが第２アーム部６３Ｃに当接して、クローレバー６３がロック位置から許可位置へ回転する構成になっている（図１（Ｄ）及び（Ｅ）に示される位置であり、以下、このラッチプレート６５の位置を「スライド位置」という）。すなわち、ラッチプレート６５は、クローレバー６３のフォークレバー６１に対する回転阻止状態を解除する部材として構成されている。
【００４３】
さらに、ラッチプレート６５におけるベースプレート部６５Ａの左右方向中間部には、ベースプレート部６５Ａから上下方向にそれぞれ延出された係合片６５Ｇが一体に形成されている。
【００４４】
［施錠機構部７０について］
施錠機構部７０は、「規制部材」としての規制レバー７２を主要部として構成されている。この規制レバー７２は、見込み方向を板厚方向とした略Ｔ字形板状に形成されている。具体的には、規制レバー７２は、略長尺板状に形成されたレバー本体７２Ａと、レバー本体７２Ａの長手方向中間部からレバー本体７２Ａの長手方向に直交する方向に延出された規制片７２Ｂと、を含んで構成されている。また、規制レバー７２は、ラッチプレート６５の切欠部６５Ｃとハウジング本体４６の底壁４６Ａとの間に形成された隙間内に配置されている。すなわち、規制レバー７２は、ハウジング本体４６の底壁４６Ａに隣接して配置されている。そして、レバー本体７２Ａの長手方向中間部が、ハウジング本体４６の底壁４６Ａに設けられた見込み方向を軸方向とする支持ピン７４に回転可能に支持されている。
【００４５】
また、規制レバー７２は、図６に示される規制位置と、規制位置から回転方向一方側（図６の矢印Ｇ方向側）へ回転された非規制位置（図３に示される位置である）と、の間を回転可能に構成されている。規制レバー７２の非規制位置では、レバー本体７２Ａが上側へ向かうに従い右側へ傾斜し、規制片７２Ｂがレバー本体７２Ａから左側へ向かうに従い上側へ延出されるように、規制レバー７２が配置されている。また、この位置では、ハウジング本体４６の底壁４６Ａに突設されたボス４６Ａ２が、レバー本体７２Ａの長手方向一端部に対して右側に隣接配置されている。これにより、非規制位置における規制レバー７２の回転方向一方側への回転がボス４６Ａ２によって制限される構成になっている（図３参照）。
【００４６】
一方、規制レバー７２の規制位置では、レバー本体７２Ａが上下方向に沿って延在し、規制片７２Ｂがレバー本体７２Ａから左側へ延出するように、規制レバー７２が配置されている。この位置では、ハウジング本体４６の底壁４６Ａに突設されたボス４６Ａ３が、レバー本体７２Ａの長手方向他端部に対して右側に隣接配置されている。これにより、規制位置における規制レバー７２の回転方向他方側への回転がボス４６Ａ３によって制限される構成になっている（図６参照）。また、規制位置では、規制片７２Ｂの先端が、ロック位置におけるクローレバー６３の第２アーム部６３Ｃに対して右側に隣接配置される設定になっている（図１（Ｃ）参照）。これにより、クローレバー６３（の第２アーム部６３Ｃ）と規制レバー７２（の規制片７２Ｂ）とが係合可能に構成されている。具体的には、クローレバー６３と規制レバー７２とが係合することで、ロック位置におけるクローレバー６３の回転方向一方側（許可位置側）の回転が制限されて、クローレバー６３がロックするように構成されている。このため、クローレバー６３とフォークレバー６１との係合状態が確実に維持されるようになっている。
【００４７】
さらに、レバー本体７２Ａの長手方向他端部には、トーションスプリングとして構成された付勢バネ７６の一端部が形成されており、付勢バネ７６の他端部は、ハウジング本体４６の底壁４６Ａに突設されたフック４６Ａ４に係止されている。この付勢バネ７６は、規制レバー７２の規制位置と非規制位置との間の中間位置を境に、規制レバー７２に対する付勢方向を切替えるバネとして構成されている。具体的には、規制レバー７２が中間位置から回転方向一方側へ変位したときには、付勢バネ７６が規制レバー７２を回転方向一方側へ付勢し、規制レバー７２が中間位置から回転方向他方側へ変位したときには、付勢バネ７６が規制レバー７２を回転方向他方側へ付勢する構成になっている。すなわち、付勢バネ７６が、所謂センタオーバーのバネとして構成されている。これにより、規制レバー７２の回転位置に応じて、規制レバー７２が、非規制位置または規制位置に保持されるようになっている。
【００４８】
さらに、レバー本体７２Ａの長手方向一端部には、幅方向中央部において、連結溝７２Ｃが形成されており、連結溝７２Ｃはレバー本体７２Ａの長手方向一方側へ開放されている。これにより、レバー本体７２Ａの長手方向一端部には、一対の連結片７２ＤＬ，７２ＤＲが形成されている。また、左側の連結片７２ＤＬは、右側の連結片７２ＤＲよりもレバー本体７２Ａの長手方向一方側へ突出されている。
【００４９】
［駆動機構部８０について］
図３に示されるように、駆動機構部８０は、駆動源となる「アクチュエータ」としてのモータ８１と、「回転体」としてのハブ８５と、を含んで構成されている。
【００５０】
モータ８１は、ハウジング４４の左側の上部内に配置されて、後述する制御部９０に電気的に接続されている。このモータ８１は、ハウジング４４に設けられたケース８２内に収容されている。モータ８１の出力軸には、ウォーム８３が設けられており、ウォーム８３には、略円形状を成す伝達ギヤ８４が噛合されている。この伝達ギヤ８４は、見込み方向を軸方向としてハウジング４４に回転可能に支持されている。
【００５１】
ハブ８５は、伝達ギヤ８４の右側に配置されている。このハブ８５は、見込み方向を軸方向とする略円筒状を成すハブ本体８６と、ハブ本体８６から径方向外側へ延出された動力伝達片８７と、を含んで構成されている。ハブ本体８６は、ハウジング４４に回転可能に支持されている。また、ハブ本体８６の内側は、連結孔８６Ａとされており、ハウジング本体４６の底壁４６Ａ及びハウジングカバー４８には、ハブ８５の連結孔８６Ａを露出させるための露出孔（図示省略）が形成されている。さらに、ドア２０の室内側の壁部には、サムターン（図示省略）が取付けられており、ドア２０の室外側に壁部には、鍵部（図示省略）が取付けられている。そして、サムターン及び鍵部のシリンダが、露出孔を介してハブ８５の連結孔８６Ａに連結している。
【００５２】
ハブ本体８６の連結孔８６Ａの内周面には、周方向に延在された一対の係合片８６Ｂが一体に形成されており、係合片８６Ｂは、連結孔８６Ａの内周面から連結孔８６Ａの径方向内側へ突出されている。そして、係合片８６Ｂが、サムターン及び鍵部のシリンダと係合可能に構成されている。
【００５３】
ハブ本体８６の外周部には、ハブギヤ部８６Ｃが一体に形成されており、ハブギヤ部８６Ｃは、ハブ本体８６の周方向全周に亘って形成されている。そして、ハブギヤ部８６Ｃが、伝達ギヤ８４に噛合されている。これにより、モータ８１が駆動すると、モータ８１の回転力が伝達ギヤ８４及びハブギヤ部８６Ｃによってハブ８５に伝達されて、ハブ８５がハブ本体８６を回転中心として回転されるようになっている。
【００５４】
動力伝達片８７は、見込み方向を板厚方向した略扇形板状に形成されている。そして、駆動機構部８０の非作動状態では、動力伝達片８７がハブ本体８６から下側へ延出されている（図３に示される位置であり、以下、この動力伝達片８７の位置を「初期位置」という）。また、動力伝達片８７は、ラッチ装置本体４２の厚み方向において、前述したラッチプレート６５の係合片６５Ｇと、規制レバー７２と、の間に配置されている。
【００５５】
動力伝達片８７の先端部には、一対の第１駆動ピン８７Ａ及び第２駆動ピン８７Ｂが一体に形成されている。この第１駆動ピン８７Ａ及び第２駆動ピン８７Ｂは、見込み方向を軸方向として、動力伝達片８７から見込み方向一方側及び見込み方向他方側へ延出されている。また、第１駆動ピン８７Ａが動力伝達片８７におけるハブ８５の回転方向一方側（図３の矢印Ｊ方向側）の端部に配置され、第２駆動ピン８７Ｂが動力伝達片８７におけるハブ８５の回転方向他方側（図３の矢印Ｋ方向側）の端部に配置されており、第１駆動ピン８７Ａ及び第２駆動ピン８７Ｂのハブ８５の回転中心からの距離は同じに設定されている。
【００５６】
動力伝達片８７の初期位置では、第１駆動ピン８７Ａが、ラッチプレート６５の係合片６５Ｇに対して左側に離間して配置されている。そして、ハブ８５（動力伝達片８７）が、初期位置から回転方向他方側へ回転されると、第１駆動ピン８７Ａが、非作動位置におけるラッチプレート６５の係合片６５Ｇに係合して、ラッチプレート６５を右側へ押圧するように構成されている。これにより、ラッチプレート６５がスライド位置へスライドする構成になっている（図７に示される位置であり、この動力伝達片８７の位置を「ロック解除位置」という）。
【００５７】
一方、初期位置では、第２駆動ピン８７Ｂが、非規制位置における規制レバー７２の連結片７２ＤＬの右側に隣接配置されている。そして、ハブ８５が、初期位置から回転方向一方側へ回転されると、第２駆動ピン８７Ｂが連結片７２ＤＬを押圧するように構成されている。これにより、規制レバー７２が非規制位置から規制位置へ回転する構成になっている（図６に示される位置であり、この動力伝達片８７の位置を「施錠位置」という）。また、第２駆動ピン８７Ｂは、規制レバー７２の連結溝７２Ｃ内に挿入可能に構成されており、動力伝達片８７が施錠位置に配置されたときには、第２駆動ピン８７Ｂが連結溝７２Ｃ内に挿入される構成になっている。よって、施錠位置では、連結片７２ＤＬ，７２ＤＲと、第２駆動ピン８７Ｂと、が左右方向に係合するようになっている。
【００５８】
なお、施錠位置では、第１駆動ピン８７Ａがラッチプレート６５の係合片６５Ｇに対して左側に離間して配置されている。また、ロック解除位置では、第２駆動ピン８７Ｂが規制レバー７２の連結片７２ＤＬ，７２ＤＲに対して右側に離間して配置されている。
【００５９】
［制御部９０について］
制御部９０は、モータ８１の右側において、ハウジング４４内に収容されている。制御部９０は、モータ８１と電気的に接続されており、モータ８１の駆動制御を行うようになっている。また、制御部９０は、使用者が所有するリモコンキーと、無線通信可能に構成された無線通信部を有しており、リモコンキーからの出力信号に基づいて、モータ８１を作動させるようになっている。
【００６０】
（作用効果）
次に、ラッチ装置１０の作動を説明しつつ、本実施の形態の作用及び効果について説明する。
【００６１】
図１（Ａ）に示されるように、ドア２０を開いた状態では、フォークレバー６１とストライカ４０とは係合されていない。このため、フォークレバー６１が付勢バネ６２の付勢力によってラッチ解除位置に配置されており、フォークレバー６１の係合溝６１Ｇがハウジング４４の連通孔４６Ａ１側へ開放されている。また、クローレバー６３は、許可位置に配置されており、付勢バネ６４の付勢力によって、クローレバー６３における第１アーム部６３Ｂの側面がフォークレバー６１の円弧面６１Ｂに当接されている。さらに、ラッチプレート６５は、非作動位置に配置されており、解除ピン６５Ｄがクローレバー６３の第１アーム部６３Ｂ及び第２アーム部６３Ｃの間に配置されている。
一方、図３に示されるように、駆動機構部８０におけるハブ８５の動力伝達片８７は、初期位置に配置されており、施錠機構部７０の規制レバー７２が、非規制位置に配置されている。
【００６２】
この状態からドア２０が閉じられると、ストライカ４０の被係合部４０Ｂが、ドア２０の挿入孔２２及びハウジング４４の連通孔４６Ａ１からハウジング４４の内部に侵入する。このとき、ストライカ４０の被係合部４０Ｂが、フォークレバー６１の係合溝６１Ｇ内に挿入されて、係合溝６１Ｇの内周面を押圧する。これにより、フォークレバー６１が、付勢バネ６２の付勢力に抗して、ラッチ解除位置から回転方向他方側（図１（Ａ）の矢印Ｂ方向側）へ回転する。また、フォークレバー６１の回転時には、フォークレバー６１の円弧面６１Ｂがクローレバー６３の第１アーム部６３Ｂの側面を摺動しながら回転する。
【００６３】
そして、図１（Ｂ）に示されるように、フォークレバー６１がラッチ位置に到達すると、フォークレバー６１のストッパ部６１Ｆがハウジングカバー４８に当接してフォークレバー６１の回転が停止する。また、この位置では、係合溝６１Ｇが左右方向に延在されて、係合溝６１Ｇとストライカ４０の被係合部４０Ｂが見込み方向に係合する。
【００６４】
さらに、フォークレバー６１がラッチ位置に到達すると、フォークレバー６１の円弧面６１Ｂと第１アーム部６３Ｂとの当接状態が解除される。このため、クローレバー６３が、付勢バネ６４の付勢力によって、許可位置から回転方向一方側（図１（Ａ）の矢印Ｄ方向側）へ回転する。そして、図１（Ｂ）に示されるように、クローレバー６３の第２アーム部６３Ｃがストッパピン５２Ｃに当接して、クローレバー６３の回転が停止すると共に、クローレバー６３がロック位置に配置される。
【００６５】
クローレバー６３のロック位置では、クローレバー６３の第１アーム部６３Ｂが、フォークレバー６１のレバー本体６１Ａに対して、フォークレバー６１の回転方向一方側に配置される。このため、第１アーム部６３Ｂの先端とフォークレバー６１の係合面６１Ｅとが係合可能状態になる。これにより、フォークレバー６１が回転方向他方側（ラッチ解除位置側）へ回転しようとすると、フォークレバー６１とクローレバー６３とが係合して、ラッチ位置におけるフォークレバー６１の回転方向他方側（ラッチ解除位置側）への移動が阻止される。その結果、フォークレバー６１がロックされて、フォークレバー６１によるストライカ４０に対する係合状態が維持される。
【００６６】
次に、使用者のリモコンキー等の操作によって制御部９０が駆動機構部８０のモータ８１を作動させて、駆動機構部８０の動力伝達片８７を初期位置から施錠位置へ回転させる。具体的には、制御部９０の制御によってモータ８１が作動して、ハブ８５が初期位置から回転方向一方側（図３の矢印Ｊ方向側）へ回転する。このとき、第２駆動ピン８７Ｂが、規制レバー７２の連結片７２ＤＬを押圧しながら、回転方向一方側へ変位する。これにより、規制レバー７２が非規制位置から回転方向他方側へ回転して、規制位置に配置される。なお、このときには、第２駆動ピン８７Ｂが、規制レバー７２の連結溝７２Ｃ内に挿入されて、連結溝７２Ｃと左右方向に係合される。これにより、規制レバー７２の規制位置の配置状態が維持される。
【００６７】
図１（Ｃ）及び図６に示されるように、規制レバー７２が規制位置に配置されると、規制レバー７２の規制片７２Ｂの先端部が、ロック位置におけるクローレバー６３の第２アーム部６３Ｃの右側に隣接配置される。このため、クローレバー６３と規制レバー７２とが係合可能状態になる。これにより、クローレバー６３が回転方向一方側（許可位置側）へ回転しようとすると、クローレバー６３と規制レバー７２とが係合して、クローレバー６３の回転方向一方側（許可位置側）への回転が制限される。その結果、クローレバー６３がロックされて、クローレバー６３のロック位置に配置された状態が維持されると共に、ストライカ４０とフォークレバー６１との係合状態が、確実に維持された状態になる。すなわち、ドア２０が確実に施錠された状態になる。
【００６８】
図１（Ｃ）及び図６に示される状態からドア２０を開くときには、まず、使用者のリモコンキー等の操作によって制御部９０が駆動機構部８０のモータ８１を作動させて、駆動機構部８０の動力伝達片８７を施錠位置からロック解除位置へ回転させる。具体的には、制御部９０の制御によってモータ８１が作動して、ハブ８５が施錠位置から回転方向他方側（図６の矢印Ｋ方向側）へ回転する。このとき、第２駆動ピン８７Ｂが、規制レバー７２の連結片７２ＤＲを押圧しながら、回転方向他方側へ変位する。これにより、規制レバー７２が規制位置から回転方向一方側（図６の矢印Ｇ方向側）へ回転して、非規制位置に配置される（図７参照）。また、動力伝達片８７がロック解除位置に到達した時点では、第２駆動ピン８７Ｂが規制レバー７２の連結片７２ＤＬ，７２ＤＲに対して右側へ離間して配置される。
【００６９】
一方、動力伝達片８７が施錠位置からロック解除位置へ回転されるときには、第１駆動ピン８７Ａが、ラッチプレート６５の係合片６５Ｇを右側へ押圧する。このため、ラッチプレート６５が、非作動位置から右側（図１（Ｃ）の矢印Ｅ方向側）へスライドして、スライド位置に変位する。また、図１（Ｄ）に示されるように、ラッチプレート６５の非作動位置からスライド位置へのスライド時には、ラッチプレート６５の解除ピン６５Ｄが第２アーム部６３Ｃに当接して、クローレバー６３を回転方向一方側へ押圧する。このため、クローレバー６３が付勢バネ６４の付勢力に抗してロック位置から許可位置へ回転して、クローレバー６３の第１アーム部６３Ｂがフォークレバー６１のレバー本体６１Ａに対して右側へ変位する。これにより、クローレバー６３とフォークレバー６１との係合状態が解除されて、フォークレバー６１のラッチ位置からラッチ解除位置への回転が許可された状態になる。
【００７０】
この状態でドア２０を開くと、ストライカ４０がドア２０の挿入孔２２から抜けるように、フォークレバー６１に対して相対変位する。これにより、図１（Ｅ）に示されるように、フォークレバー６１がストライカ４０の変位に伴って、ラッチ位置からラッチ解除位置へ回転される。そして、ストライカ４０の被係合部４０Ｂがフォークレバー６１の係合溝６１Ｇから抜け出て、フォークレバー６１とストライカ４０との係合状態が解除される。また、フォークレバー６１とストライカ４０との係合状態が解除されたときには、フォークレバー６１が付勢バネ６２の付勢力によってラッチ解除位置に保持される。
【００７１】
なお、動力伝達片８７を施錠位置からロック解除位置へ回転させた後では、制御部９０が駆動機構部８０のモータ８１を作動させて、駆動機構部８０の動力伝達片８７を非規制位置から初期位置へ復帰させる。
【００７２】
このように、本実施の形態のラッチ装置１０では、ドア２０が閉じられるときに、ストライカ４０が、ドア２０の内部に侵入して、ラッチ機構部６０のフォークレバー６１がストライカ４０の被係合部４０Ｂに係合する。さらに、ラッチ機構部６０のクローレバー６３が、フォークレバー６１のストライカ４０への係合時に作動して、フォークレバー６１のラッチ位置からラッチ解除位置への回転を阻止する。これにより、フォークレバー６１のストライカ４０に対する係合状態が維持される。
【００７３】
ここで、ストライカ４０は、ドア枠３０（受け部３２の第２受け面３２Ｂ）から室外側へ突出されている。そして、ドア２０が閉じられるときに、ストライカ４０が、ドア２０の室内側の面に形成された挿入孔２２からドア２０の内部へ挿入する。すなわち、ドア２０の閉状態では、ストライカ４０が、ドア２０の開放端面２０Ａに対してドア２０の基端側に配置される。このため、ドア２０の閉状態を室外側から見たときは、ドア２０の開放端面２０Ａとドア枠３０（の第１受け面３２Ａ）との間の隙間ｇに、ストライカ４０が配置されておらず、ストライカ４０が当該隙間ｇから視認不能になっている。これにより、ドア２０の開放端面２０Ａとドア枠３０（の第１受け面３２Ａ）との間の隙間ｇから、ストライカ４０とフォークレバー６１との係合部位に不正にアクセスすることを防止又は抑制することができる。したがって、セキュリティ性能を向上することができる。
【００７４】
また、ラッチ装置１０では、ラッチ位置におけるフォークレバー６１の回転を阻止するクローレバー６３が、第２支持軸５２Ｂに回転可能に支持されて、許可位置とロック位置との間を回転可能に構成されている。このため、例えば、クローレバー６３を水平方向にスライドさせてフォークレバー６１の回転をクローレバー６３によって阻止する場合と比べて、クローレバー６３の移動距離（許可位置とロック位置との間の距離）を比較的短く設定することができる。これにより、クローレバー６３の設置スペースを小さく設定することができ、ラッチ機構部６０の小型化に寄与することができる。
【００７５】
また、ラッチ装置１０は、規制レバー７２を有している。そして、規制レバー７２が、ハブ８５の動力伝達片８７の回転によって非規制位置から規制位置へ回転すると、規制レバー７２の規制片７２Ｂの先端部が、ロック位置におけるクローレバー６３の第２アーム部６３Ｃの右側に隣接配置される。このため、クローレバー６３と規制レバー７２とが係合して、クローレバー６３のロック位置から許可位置への回転が規制される。その結果、フォークレバー６１とストライカ４０との係合状態を確実に維持することができる。したがって、セキュリティ性能を効果的に向上することができる。
【００７６】
また、ラッチ装置１０では、ラッチプレート６５が非作動位置から右側へスライドしてスライド位置へ配置することで、ラッチプレート６５の解除ピン６５Ｄとクローレバー６３の第２アーム部６３Ｃとが係合して、クローレバー６３がロック位置から許可位置へ回転される。このため、フォークレバー６１とクローレバー６３との係合状態を、簡易な構成で解除することができる。
【００７７】
また、ラッチ装置１０では、ハブ８５の動力伝達片８７が初期位置から回転方向一方側へ回転することで、規制レバー７２が動力伝達片８７の第２駆動ピン８７Ｂによって非規制位置から規制位置へ回転される。一方、ハブ８５の動力伝達片８７が施錠位置から回転方向他方側へ回転することで、ラッチプレート６５が動力伝達片８７の第１駆動ピン８７Ａによって非作動位置からスライド位置へスライドすると共に、規制レバー７２が動力伝達片８７の第２駆動ピン８７Ｂによって規制位置か非規制位置へ回転される。すなわち、動力伝達片８７が、規制レバー７２及びラッチプレート６５に対してモータ８１の駆動力を伝達する部材として機能すると共に、規制レバー７２及びラッチプレート６５の位置を切替える部材として機能する。これにより、規制レバー７２及びラッチプレート６５に対する位置切替を一部材で実現することができる。
【００７８】
また、ラッチ装置１０では、駆動機構部８０が、ハブ８５の動力伝達片８７を回転させるモータ８１と、モータ８１を駆動する制御部９０と、を含んで構成されている。このため、ラッチ装置１０を電動で作動させることができる。これにより、使用者に対する利便性を向上することができる。
また、上述のように、クローレバー６３が回転可能に構成されて、フォークレバー６１の回転を阻止している。このため、上述のように、クローレバー６３をスライドさせる構成に比べて、クローレバー６３の移動量を比較的短く設定することができる。これにより、例えば、ハブ８５の動力伝達片８７を施錠位置から初期位置へ回動させるときの、駆動機構部８０の作動時間を短くすることができる。
【００７９】
また、ラッチ装置１０では、規制レバー７２とハウジング４４の右側の側壁との間には、付勢バネ６６が設けられており、付勢バネ６６の付勢力によって規制レバー７２が非作動位置側へ付勢されている。このため、動力伝達片８７がロック解除位置に配置されてから初期位置に復帰したときに、規制レバー７２を付勢バネ６６の付勢力によって非作動位置に自動的に復帰させることができる。
【００８０】
また、ラッチ装置１０では、ラッチプレート６５の一対のサイドプレート部６５Ｂが、上下一対のガイドプレート５２を挟み込むように配置されて、ラッチプレート６５がガイドプレート５２にスライド可能に支持されている。さらに、ガイドプレート５２は、ハウジング本体４６の底壁４６Ａ及びハウジングカバー４８に挟み込まれて、両者に固定されている。このため、一対のガイドプレート５２の固定状態を良好にできると共に、一対のガイドプレート５２によってラッチプレート６５を良好に支持することができる。その結果、ラッチプレート６５を良好にスライドさせることができる。
【００８１】
また、ラッチ装置１０では、ラッチプレート６５のサイドプレート部６５Ｂにおけるハウジング４４の底壁４６Ａ側の端部に切欠部６５Ｃが形成されており、切欠部６５Ｃの内部に規制レバー７２が配置されている。このため、ラッチ装置本体４２の厚み方向の小型化に寄与することができる。
【符号の説明】
【００８２】
１０          ラッチ装置
１２          ドア装置
２０          ドア
２０Ａ        開放端面
２２          挿入孔
３０          ドア枠
３２          受け部
３２Ａ        第１受け面
３２Ｂ        第２受け面
３２Ｃ        内周面
３２Ｄ        空間
４０          ストライカ
４０Ａ        ストライカ孔
４０Ｂ        被係合部
４２          ラッチ装置本体
４４          ハウジング
４６          ハウジング本体
４６Ａ        底壁
４６Ａ１      連通孔
４６Ａ２      ボス
４６Ａ３      ボス
４６Ａ４      フック
４８          ハウジングカバー
５０          サイドパネル
５２          ガイドプレート５２
５２Ａ        第１支持軸
５２Ｂ        第２支持軸
５２Ｃ        ストッパピン
５２Ｄ        切欠き
５３          ガイド溝
６０          ラッチ機構部
６１          フォークレバー（ラッチ部材）
６１Ａ        レバー本体
６１Ｂ        円弧面
６１Ｃ        支持部
６１Ｄ              支持孔
６１Ｅ        係合面
６１Ｆ        ストッパ部
６１Ｇ        係合溝
６２          付勢バネ
６３          クローレバー（阻止部材）
６３Ａ        支持部
６３Ｂ        第１アーム部
６３Ｃ        第２アーム部
６３Ｄ        支持孔
６４          付勢バネ
６５          ラッチプレート（スライド部材）
６５Ａ        ベースプレート部
６５Ｂ        サイドプレート部
６５Ｃ        切欠部
６５Ｄ        解除ピン
６５Ｅ        支持片
６５Ｆ        支持ピン
６５Ｇ        係合片
６６          付勢バネ
７０          施錠機構部
７２          規制レバー（規制部材）
７２Ａ        レバー本体
７２Ｂ        規制片
７２Ｃ        連結溝
７２ＤＬ      連結片
７２ＤＲ      連結片
７４          支持ピン
７６          付勢バネ
８０          駆動機構部
８１          モータ（アクチュエータ）
８２          ケース
８３          ウォーム
８４          伝達ギヤ
８５          ハブ（回転体）
８６          ハブ本体
８６Ａ        連結孔
８６Ｂ        係合片
８６Ｃ        ハブギヤ部
８７          動力伝達片
ピン８７Ａ    第１駆動
ピン８７Ｂ    第２駆動
９０          制御部
ｇ            隙間
Ｓ            ネジ
【図１】
2019060193.tif 000003
【図２】
2019060193.tif 000004
【図３】
2019060193.tif 000005
【図４】
2019060193.tif 000006
【図５】
2019060193.tif 000007
【図６】
2019060193.tif 000008
【図７】
2019060193.tif 000009